(57)【特許請求の範囲】
【請求項１】
光ピックアップを用いてそのフリー状態の位置から光ディスクの厚さ方向にその光ピックアップを駆動してその光ディスクの表面までの表面駆動時間を測定し、その表面駆動時間と予め設定された表面基準駆動時間との差異時間を求め、次いで、光ディスクの種類に応じて予め設定された光ディスクの表面から記録面までの各記録面基準駆動時間と前記差異時間とを演算して光ディスクの種類を判別するための判定閾値時間を求め、その後に、光ディスクの表面から記録面までの記録面駆動時間を測定し、光ピックアップの記録面駆動時間の前記判定閾値時間に対する大小関係により、前記光ディスクの種類を判別することを特徴とする光ディスク媒体判別の温度補償方法。
【請求項２】
光ピックアップを用いてそのフリー状態の位置から光ディスクの表面まで駆動させることにより測定された表面駆動時間と予め設定された表面基準駆動時間との差異時間を記憶する記憶手段と、
光ディスクの種類に応じて予め設定された光ディスクの表面から記録面までの各記録面基準駆動時間と前記差異時間とから光ディスクの種類を判別するための判定閾値時間を演算する演算手段と、
前記演算手段により演算された判定閾値時間を記憶する記憶手段と、
光ディスクの表面から記録面まで光ピックアップを駆動させることにより測定された記録面駆動時間の判定閾値時間に対する大小関係により、前記光ディスクの種類を判別することを特徴とする光ディスク媒体の種類判別装置。
【請求項３】
前記光ディスクの種類が片面に記録面を有する記録媒体と厚さ方向中間位置に記録面を有する記録媒体とであり、表面基準駆動時間をＴｓ１、表面駆動時間をＴ１、その表面基準駆動時間Ｔｓ１と表面駆動時間Ｔ１との差異時間をα、片面に記録面を有する記録媒体の記録面基準駆動時間をＴｓ３、中間位置に記録面を有する記録媒体の記録面基準駆動時間をＴｓ４としたとき、下記の関係式に基づき判定閾値時間Ｔｒを求めることを特徴とする請求項１に記載の光ディスク媒体判別の温度補償方法。
α＝Ｔ１−Ｔｓ１
Ｔｒ＝（Ｔｓ３＋Ｔｓ４＋３α）／２
【請求項４】
前記光ディスクの種類が片面に記録面を有する記録媒体と厚さ方向中間位置に記録面を有する記録媒体とであり、表面基準駆動時間をＴｓ１、表面駆動時間をＴ１、その表面基準駆動時間Ｔｓ１と表面駆動時間Ｔ１との差異時間をα、片面に記録面を有する記録媒体の記録面基準駆動時間をＴｓ３、中間位置に記録面を有する記録媒体の記録面基準駆動時間をＴｓ４としたとき、下記の関係式に基づき判定閾値時間Ｔｒを求めることを特徴とする請求項２に記載の光ディスク媒体の種類判別装置。
α＝Ｔ１−Ｔｓ１
Ｔｒ＝（Ｔｓ３＋Ｔｓ４＋３α）／２
【発明の詳細な説明】
【０００１】
【発明の属する技術分野】
本発明は、光ディスク媒体の種類、例えば、コンパクトディスク（ＣＤ）とＤＶＤとの相違を判別する光ディスク媒体判別の温度補償方法及び光ディスク媒体の種類判別装置に関する。
【０００２】
【従来の技術】
従来から、光ディスク媒体の種類、例えば、コンパクトディスク（ＣＤ）とＤＶＤとの相違を判別する光ディスク媒体の種類判別方法として、以下に記載する方法が知られている。
【０００３】
例えば、コンパクトディスク（ＣＤ）１とデジタルバースタイルディスク（ＤＶＤ）２とでは、図１（ａ）、図１（ｂ）に示すように、ディスクラベル面３ａから記録面４までの厚さ方向の位置が異なっている。すなわち、ＣＤ１は片面に記録面を有する記録媒体であり、ＤＶＤ２は中間位置に記録面を有する記録媒体である。
【０００４】
そこで、光ピックアップ５（対物レンズを含む）を一旦デイスクラベル面３ａとは反対側の面３ｂから離反させる方向（図１（ａ）、図１（ｂ）では下方向Ａ）に可動させ、次に、光ピックアップ５を面３ｂに接近する方向（上方向Ｂ）に可動させて、面３ｂからの表面反射光の受光出力に基づき、光ピックアップ５の駆動時間の計時を開始し、更に光ピックアップ５を上昇させて記録面４からの反射光に基づき光ピックアップ５の計時を停止し、光ディスク媒体の種類に基づく厚さの相違を光ピックアップ５の駆動時間に置換して、その光ディスク媒体の種類を判別している。
【０００５】
すなわち、光ピックアップ５を図２（ａ）に示すフォーカスサーチ駆動波形に従って下限位置から上限位置まで駆動させると、ＣＤ１の場合には、面３ｂの位置で光ピックアップ５が合焦したとき、図２（ｂ）に示すように面３ｂからの表面反射光に基づくフォーカス全加算信号Ｓ１が得られ、次いで、記録面４の位置で光ピックアップ５が合焦したとき、記録面反射光に基づくフォーカス全加算信号Ｓ２が得られ、このフォーカス全加算信号Ｓ１、Ｓ２を閾値Ｔｈと比較して、フォーカス全加算信号Ｓ１が閾値Ｔｈを越えた時点から光ピックアップ５の駆動時間の計時を開始し、次いで、フォーカス全加算信号Ｓ２が閾値Ｔｈを越えた時点で光ピックアップ５の駆動時間の計時を停止することによって、駆動時間ｔ１が得られる。
【０００６】
また、ＤＶＤ２の場合には、表面３ｂの位置で光ピックアップ５が合焦したとき、図２（ｃ）に示すように表面３ｂからの表面反射光に基づくフォーカス全加算信号Ｓ３が得られ、次いで、記録面４の位置で光ピックアップ５が合焦したとき、記録面反射光に基づくフォーカス全加算信号Ｓ４が得られ、このフォーカス全加算信号Ｓ３、Ｓ４を閾値Ｔｈと比較して、フォーカス全加算信号Ｓ３が閾値Ｔｈを越えた時点から光ピックアップ５の駆動時間の計時を開始し、次いで、フォーカス全加算信号Ｓ４が閾値Ｔｈを越えた時点で光ピックアップ５の駆動時間の計時を停止することによって、駆動時間ｔ２が得られる。
【０００７】
そこで、この駆動時間ｔ１、ｔ２の相違によって、光ディスク媒体の種類がＣＤ１であるのか、ＤＶＤ２であるのかを判定している。
【０００８】
すなわち、ＤＶＤ（シングル、デュアル）２の記録面４の面３ｂに対する厚さ方向位置は、規格上０．５５ｍｍ〜０．６５３ｍｍであり、ＣＤ１の記録面４の表面３ｂに対する厚さ方向位置は、規格上約１．１７ｍｍ（ディスクラベル面３ａの側から約０．０３ｍｍ）であり、ＤＶＤ２の場合の面３ｂに対する厚さ方向位置を０．６ｍｍ、ＣＤ１の記録面４の面３ｂに対する厚さ方向位置を１．２ｍｍと考えて、この厚さ方向位置の差０．６ｍｍに対応する駆動時間の差によって、ＣＤ１であるのかＤＶＤ２であるのかを判定するのである。
【０００９】
【発明が解決しようとする課題】
しかしながら、この従来の光ディスク媒体の種類判別方法は、光ディスクの表面３ｂから記録面４までの距離を光ピックアップ５の駆動時間に置換して、光ディスクの種別を判別する方法であるので、光ピックアップ特性の温度変化、光ピックアップ個々の動特性のばらつきによって、光ピックアップ５の光ディスクの表面３ｂから記録面４までの駆動時間がばらつくことになり、光ディスクの種類の判別を正確に行うことができないという不都合がある。
【００１０】
すなわち、従来の光ディスク媒体の種類判別方法では、光ディスクの表面３ｂから記録面４までの光ピックアップ５の駆動速度が一定でないと、光ディスクの種類を正確に判定できないという不都合がある。
【００１１】
本発明は、上記の事情に鑑みて為されたもので、その目的とするところは、光ピックアップ特性の温度変化、光ピックアップ個々の動特性のばらつきによって、光ピックアップの光ディスクの表面から記録面までの駆動時間にばらつきが生じた場合であっても、安価な方法で正確に光ディスクの種類を判別することのできる光ディスク判別の温度補償方法及び光ディスク媒体の種類判別装置を提供する。
【００１２】
【課題を解決するための手段】
請求項１に記載の光ディスク判別の温度補償方法は、光ピックアップを用いてそのフリー状態の位置から光ディスクの厚さ方向にその光ピックアップを駆動してその光ディスクの表面までの表面駆動時間を測定し、その表面駆動時間と予め設定された表面基準駆動時間との差異時間を求め、次いで、光ディスクの種類に応じて予め設定された光ディスクの表面から記録面までの各記録面基準駆動時間と前記差異時間とを演算して光ディスクの種類を判別するための判定閾値時間を求め、その後に、光ディスクの表面から記録面までの記録面駆動時間を測定し、光ピックアップの記録面駆動時間の前記判定閾値時間に対する大小関係により、前記光ディスクの種類を判別することを特徴とする。
【００１３】
請求項２に記載の光ディスク媒体の種類判別装置は、光ピックアップを用いてそのフリー状態の位置から光ディスクの表面まで駆動させることにより測定された表面駆動時間と予め設定された表面基準駆動時間との差異時間を記憶する記憶手段と、光ディスクの種類に応じて予め設定された光ディスクの表面から記録面までの各記録面基準駆動時間と前記差異時間とから光ディスクの種類を判別するための判定閾値時間を演算する演算手段と、前記演算手段により演算された判定閾値時間を記憶する記憶手段と、光ディスクの表面から記録面まで光ピックアップを駆動させることにより測定された記録面駆動時間の判定閾値時間に対する大小関係により、前記光ディスクの種類を判別することを特徴とする。
【００１４】
請求項３に記載の光ディスク媒体判別の温度補償方法又は請求項４に記載の光ディスク媒体の種類判別装置は、前記光ディスクの種類が片面に記録面を有する記録媒体と厚さ方向中間位置に記録面を有する記録媒体とであり、表面基準駆動時間をＴｓ１、表面駆動時間をＴ１、その表面基準駆動時間Ｔｓ１と表面駆動時間Ｔ１との差異時間をα、片面に記録面を有する記録媒体の記録面基準駆動時間をＴｓ３、中間位置に記録面を有する記録媒体の記録面基準駆動時間をＴｓ４としたとき、下記の関係式に基づき判定閾値時間Ｔｒを求めることを特徴とする。
【００１５】
α＝Ｔ１−Ｔｓ１
Ｔｒ＝（Ｔｓ３＋Ｔｓ４＋３α）／２
【００１６】
【発明の実施の形態】
[発明の実施の形態１]
以下に、本発明に係わる光ディスク判別の温度補償方法及び光ディスク媒体の種類判別装置の発明の実施の形態を図３ないし図７を参照しつつ説明する。
【００１７】
図３は本発明に係わる光ディスク装置の概略構成を示し、この図３において、１１はスピンドルモータ、１２は光ディスク、１３は光ピックアップ、１４はその光ピックアップの対物レンズ、１５はマイクロコンピュータ、１６はフォーカスドライバ、１７はＲＦアンプリファイア、１８はＤ／Ａコンバータである。
【００１８】
マイクロコンピュータ１５はフォーカスドライバ設定制御信号によりフォーカスドライバ１６を設定する機能、ゲイン設定制御信号によりＲＦアンプリファイア１７のゲインを設定する機能、選択制御信号により再生対象光ディスクを選択する機能を有する。
【００１９】
光ピックアップ１３はフォーカスドライバ１６によって駆動制御され、光ディスク１２の各面からの反射光に基づく全加算信号をＲＦアンプリファイア１７に出力し、ＲＦアンプリファイア１７は全加算信号を増幅してＤ／Ａコンバータ１８に出力すると共に、フォーカスドライバ１６に出力する。
【００２０】
フォーカスドライバ１６は光ピックアップ１３を全加算信号に基づきフィードバック制御する。Ｄ／Ａコンバータ１８は全加算信号をアナログ・デジタル変換し、マイクロコンピュータ１５に向かって出力する。
【００２１】
そのマイクロコンピュータ１５には、第１タイマー１９、第２タイマー２０が接続されている。また、そのマイクロコンピュータ１５には、図４（ｂ）、図４（ｃ）に示すように面３ｂからの表面反射光があったか否かを判定する閾値Ｔｈ１と記録面４からの記録面反射光があったか否かを判定する閾値Ｔｈ２とが記憶されている。また、そのマイクロコンピュータ１５には、光ピックアップ１３の表面基準駆動時間Ｔｓ１、記録面基準駆動時間Ｔｓ３、Ｔｓ４が記憶されていると共に、表面駆動時間Ｔ１に基づいて、光ピックアップ１３の判定閾値時間Ｔｒを演算する演算手段が設けられている。その閾値Ｔｈ１は閾値Ｔｈ２よりも小さい値に設定する。
【００２２】
その表面基準駆動時間Ｔｓ１は以下の手順に従って求める。まず、任意の光ディスク再生装置を選択する。そして、光ピックアップ１３’をフリー状態にしてその位置を図５（ｂ）に示すように、その光ピックアップ１３’を点ｂ付近に位置させる。
【００２３】
次いで、図４（ａ）に示すフォーカス駆動波形に従って光ピックアップ１３’を駆動し、この光ピックアップ１３’を下降させる。ここで、フリー状態の光ピックアップ１３’は点ｂ付近に位置し、レーザー光がＤＶＤ２の記録面４付近で合焦するものとする。
【００２４】
そして、図４（ａ）に示すフォーカス駆動波形に従って図５（ｂ）に示すように、点ｂから点ｃに向かってこの光ピックアップ１３’を下降させると同時に第１タイマー１９の計時をスタートさせる。そして、光ピックアップ１３’が点ｃに位置したときに、図４（ｂ）、図４（ｃ）に示すように、表面反射光に基づくフォーカス全加算信号Ｓ１又はＳ３が得られる。マイクロコンピュータ１５は、フォーカス全加算信号Ｓ１、Ｓ３のレベルが閾値Ｔｈ１を越えたとき、光ピックアップ１３’が面３ｂに合焦としたとして、第１タイマー１９の計時をストップさせる。
【００２５】
これによって、表面駆動時間Ｔ１’が得られる。次に、他の光ディスク再生装置を選択し、同様にして表面駆動時間Ｔ１”を求める。このようにして求めた複数の表面駆動時間から平均値を求め、更に設計的条件による考課を加味して表面基準駆動時間Ｔｓ１を求める。
【００２６】
なお、ＤＶＤ２を用いて位置を求める場合、フォーカス全加算信号Ｓ４との誤検出を防止するために、タイマーによる一定時間未検出の区間を設けるか、閾値Ｔｈ１よりも低い閾値を設け、この閾値Ｔｈ１を下回ったことを検出した後に、閾値Ｔｈ１を検出する等の対策を講じる必要がある。
【００２７】
次に、記録面基準駆動時間Ｔｓ３、Ｔｓ４を以下の手順に従って求める。
【００２８】
図５（ｃ）に示すように、下限位置から光ピックアップ１３’を上昇させると、点ｃにおける光ピックアップ１３’の面３ｂへの合焦に基づき、フォーカス全加算信号Ｓ１又はＳ３が得られる。マイクロコンピュータ１５は、このフォーカス全加算信号Ｓ１又はＳ３が閾値Ｔｈ１を越えた時点で、第２タイマー２０の計時をスタートさせる。
【００２９】
次いで、光ピックアップ１３’を上昇させると、光ディスク媒体がＤＶＤ２のときには、点ｂとほぼ同位置で光ピックアップ１３’の記録面４への合焦に基づき、フォーカス全加算信号Ｓ４が図４（ｃ）に示すように得られる。
【００３０】
このフォーカス全加算信号Ｓ４が閾値Ｔｈ２を越えた時点で、マイクロコンピュータ１５は第２タイマー２０の計時をストップする。この面３ｂから記録面４までの光ピックアップ１３’の駆動時間を記録面駆動時間Ｔ４’とする。
【００３１】
また、図５（ａ）に示すように、光ピックアップ１３’を上昇させると、光ディスク媒体がＣＤ１のときには、点ａとほぼ同位置で光ピックアップ１３’の記録面４への合焦に基づき、フォーカス全加算信号Ｓ２が図４（ｂ）に示すように得られる。このフォーカス全加算信号Ｓ２が閾値Ｔｈ２を越えた時点で、マイクロコンピュータ１５は第２タイマー２０の計時をストップする。この面３ｂから記録面４までの光ピックアップ１３’の駆動時間を記録面駆動時間Ｔ３’とする。
【００３２】
その記録面基準駆動時間Ｔ３’、Ｔ４’の測定は、複数の光ディスク再生装置で行う。求めた値は平均値を求め、更に設計的条件による考課を加味して記録面基準駆動時間Ｔｓ３、Ｔｓ４を求める。
【００３３】
基準判定閾値Ｔｓ２は、その記録面基準駆動時間Ｔｓ３、Ｔｓ４の中間の値、すなわち、Ｔｓ２＝（Ｔｓ３＋Ｔｓ４）／２から求める値である。
【００３４】
以下、図６を参照しながら図７に示すフローチャートに従って、判定閾値時間Ｔｒを求める手順について説明する。
【００３５】
マイクロコンピュータ１５は、図６（ｂ）に示すように、点ｂの位置から光ピックアップ１３をダウンさせる方向に駆動するフォーカスドライバ設定制御信号（Down制御信号）を出力する（図７のＳ．１）。その光ピックアップ１３の駆動は図４（ａ）に示すフォーカスサーチ駆動波形に従って行う。
【００３６】
その光ピックアップ１３の駆動と同時に、第１タイマー１９の計時をスタートさせる（Ｓ．２）。
【００３７】
そして、フォーカス全加算信号の読み込みを開始し（Ｓ．３）、フォーカス全加算信号Ｓ１のレベルが閾値Ｔｈ１を越えた時点で第１タイマー１９の計時をストップする（Ｓ．４、Ｓ．５）。すなわち、光ピックアップ１３が図６（ｂ）に示すように点ｃに達した時点で第１タイマー１９の計時をストップする。これによって、表面駆動時間Ｔ１が取得される。
【００３８】
演算手段はこの表面駆動時間Ｔ１の取得に基づき、表面基準駆動時間Ｔｓ１と表面駆動時間Ｔ１との差異時間αを演算する（Ｓ．６）。
【００３９】
α＝Ｔ１−Ｔｓ１
この差異時間αは、光ピックアップ特性の温度変化と光ピックアップ１３個々の動特性のばらつきを意味する。
【００４０】
そして、マイクロコンピュータ１５はその光ピックアップ１３を下限位置で２００ｍｍｓ待機させる（Ｓ．７）。
【００４１】
次いで、マイクロコンピュータ１５は、下限位置から光ピックアップ１３をアップさせる方向に駆動するフォーカスドライバ設定制御信号（Up制御信号）を出力する（Ｓ．８）。と同時に、フォーカス全加算信号の読み込みを開始し（Ｓ．９）、フォーカス全加算信号Ｓ１のレベルが閾値Ｔｈ１よりも大きいか否かを判断する（Ｓ．１０）。
【００４２】
マイクロコンピュータ１５は、フォーカス全加算信号Ｓ１のレベルが閾値Ｔｈ１を越えた時点で、第２タイマー２０をスタートさせ、計時を開始する（Ｓ．１１）。そして、フォーカス全加算信号の読み込みを行い（Ｓ．１２）、フォーカス全加算信号が閾値Ｔｈ２を越えたか否かを判断する（Ｓ．１３）。そして、マイクロコンピュータ１５は、フォーカス全加算信号が閾値Ｔｈ２を越えた時点で第２タイマー２０の計時をストップする（Ｓ．１４）。
【００４３】
ＣＤ１の場合には、図６（ａ）に示すように、光ピックアップ１３が点ａに達した時点で、光ピックアップ１３が記録面４に合焦するのでフォーカス全加算信号Ｓ２が得られ、このときの光ピックアップ１３の記録面駆動時間をＴ３とする。
【００４４】
ＤＶＤ２の場合には、図６（ｃ）に示すように、光ピックアップ１３が点ｂに達した時点で、光ピックアップ１３が記録面４に合焦するので、フォーカス全加算信号Ｓ４が得られる。このときの光ピックアップ１３の記録面駆動時間をＴ４とする。
【００４５】
ここで、記録面基準駆動時間Ｔｓ３と記録面駆動時間Ｔ３との差異時間は２α、記録面基準駆動時間Ｔｓ４と記録面駆動時間Ｔ４との差異時間はαとみなして良いと考えられる。
【００４６】
なぜなら、光ピックアップ１３個々の動特性が光ディスクの種類の判別中に大きく変化するとは考えられず、また、光ディスクの種類判別中に、温度が急激に変化するとも考えられないからである。
【００４７】
また、記録面基準駆動時間Ｔｓ３と記録面駆動時間Ｔ３との差異時間を、記録面基準駆動時間Ｔｓ４と記録面駆動時間Ｔ４との差異時間の２倍とみなしたわけは、ＣＤ１の場合の面３ｂから記録面４までの距離は、ＤＶＤ２の場合の面３ｂから記録面４までの距離の約２倍であり、駆動時間が約２倍になると考えられるからである。
【００４８】
従って、２α＝Ｔ３−Ｔｓ３、α＝Ｔ４−Ｔｓ４
の関係式が得られる。
【００４９】
そこで、判定閾値時間Ｔｒを記録面駆動時間Ｔ３と記録面駆動時間Ｔ４との平均値に設定することにすると、判定閾値時間Ｔｒは基準判定閾値Ｔｓ２と差αを用いて、以下の式を用いて表すことができる。
Ｔｓ２＝（Ｔｓ３＋Ｔｓ４）／２
Ｔ３＝Ｔｓ３＋２α、Ｔ４＝Ｔｓ４＋α
Ｔｒ＝（Ｔ３＋Ｔ４）／２
＝（Ｔｓ３＋２α＋Ｔｓ４＋α）／２
＝（Ｔｓ３＋Ｔｓ４＋３α）／２
＝（Ｔｓ３＋Ｔｓ４）／２＋３α／２
＝Ｔｓ２＋３α／２
従って、この判定閾値時間Ｔｒ＝Ｔｓ２＋３α／２を、光ディスクの種類判別モード中に演算し、記録面駆動時間ｔが判定閾値時間Ｔｒよりも大きいか否かを判断する（Ｓ．１５）。
【００５０】
そして、マイクロコンピュータ１５は、駆動時間ｔが判定閾値時間（Ｔｓ２＋３α／２）よりも大きいときには、光ディスクがＣＤ１であると判断して、選択制御信号を光ピックアップ１３に出力し（Ｓ．１６）、駆動時間ｔが判定閾値時間（Ｔｓ２＋３α／２）よりも小さいときには、光ディスクがＤＶＤ２であると判断して（Ｓ．１７）、選択制御信号を光ピックアップ１３に出力し、ディスク再生モードに移行する。
【００５１】
この発明の実施の形態では、従来と同様に、光ピックアップをダウンさせる区間において、予め求められた表面基準駆動時間と光ピックアップの実際の表面駆動時間との差を求めて判定閾値時間Ｔｒを求めることにしたので、従来の光ピックアップの駆動のさせかたを変更することなく、光ピックアップ特性の温度変化と光ピックアップ個々の動特性のばらつきを補償し、安価な方法で正確に光ディスクの種類を判別できる。
【００５２】
なお、この光ディスクの記録面４の厚さ方向位置は、ディスクのハブへの取り付け精度、すなわち、クランプ精度、チャッキング精度、回転中のディスク面の振れ、ディスクの反りによってばらつきがあり、これらのばらつきによる計時誤差が極力小さくなるように、図８に示す光ディスク１２のプログラム領域２０の内側に存在するリードイン領域２１で光ディスク媒体の種類の判別をすることが望ましい。
【００５３】
【発明の効果】
本発明によれば、光ピックアップの温度変化による動特性のばらつき、光ピックアップの温度変化による特性と光ピックアップ個々の動特性のばらつきによって、光ピックアップの光ディスクの表面から記録面までの駆動時間にばらつきが生じた場合であっても、安価な方法で正確に光ディスクの種類を判別することができる。
【図面の簡単な説明】
【図１】  従来の光ディスク媒体の種類の判別方法の一例を示す説明図であって、（ａ）はＣＤの場合を示し、（ｂ）はＤＶＤの場合を示す。
【図２】  従来の光ピックアップの駆動と光ピックアップによる出力との関係を示す説明図であって、（ａ）は光ピックアップのフォーカス駆動波形を示し、（ｂ）はその（ａ）に示すフォーカス駆動波形に従ってＣＤに対して光ピックアップを駆動したときに得られるフォーカス全加算信号を示し、（ｃ）はその（ａ）に示すフォーカス駆動波形に従ってＤＶＤに対して光ピックアップを駆動したときに得られるフォーカス全加算信号を示す。
【図３】  本発明に係わる光ディスク判別の温度補償方法に用いる光ディスク装置の一例を示すブロック図である。
【図４】本発明に係わる光ピックアップの駆動と光ピックアップによる出力との関係を示す説明図であって、（ａ）は光ピックアップのフォーカス駆動波形を示し、（ｂ）はその（ａ）に示すフォーカス駆動波形に従ってＣＤに対して光ピックアップを駆動したときに得られるフォーカス全加算信号を示し、（ｃ）はその（ａ）に示すフォーカス駆動波形に従ってＤＶＤに対して光ピックアップを駆動したときに得られるフォーカス全加算信号を示す。
【図５】  本発明に係わる光ディスク判別の温度補償方法による任意の光ピックアップの駆動の一例を示す図であって、（ａ）はその光ピックアップをＣＤの記録面に合焦させた状態を示し、（ｂ）はその光ピックアップをフリー状態にした状態を示し、（ｃ）はその光ピックアップをその標準光ピックアップが臨む面の側に合焦状態を示す。
【図６】  本発明の実施の形態に係わる光ディスク判別の温度補償方法による光ピックアップの駆動の一例を示す図であって、（ａ）は光ピックアップをＣＤの記録面に合焦させた状態を示し、（ｂ）は光ピックアップをフリー状態にした状態を示し、（ｃ）は光ピックアップをその実光ピックアップが臨む面の側に合焦状態を示す。
【図７】  本発明の実施の形態に係わる光ディスク判別の温度補償方法のフローチャート図である。
【図８】  本発明に係わる光ディスク判別の温度補償方法を適用した場合の光ピックアップと光ディスクとの半径方向位置関係を示す図である。
【符号の説明】
３ｂ…表面
４…記録面
１２…光ディスク
１３…光ピックアップ
１５…マイクロコンピュータ（演算手段）
【図１】
0004339998.tif 000002
【図２】
0004339998.tif 000003
【図３】
0004339998.tif 000004
【図４】
0004339998.tif 000005
【図５】
0004339998.tif 000006
【図６】
0004339998.tif 000007
【図７】
0004339998.tif 000008
【図８】
0004339998.tif 000009